(57)【要約】【課題】ネオジム磁石のみで構成されたマグネットホルダーは小型で薄くても強力な紙片の保持力が得られる。しかし、取外しが難しく、従来はプラスチック等のグリップ部に取り付けられて使用されてきた。そのため、小型薄型のメリットが失われ、さらに製作コストも高くなっていた。【解決手段】実質的に、直方体形状のネオジム焼結磁石のみから構成し、３辺の寸法を特定範囲に規定し、さらに最も短い厚さ方向に対して垂直の方向に着磁し、磁極面ではなく、それに垂直となる面を磁気吸着面としたマグネットホルダーとする。同時に、同様な形状、寸法で着磁状態のネオジム磁石を、マグネットホルダーの磁気吸着面に相当する面を露出させてグリップ部に取り付けたリムーバーとし、それを用いることにより、簡単に取り外せるように構成した。【選択図】図１
2018134851.tif 000002
【特許請求の範囲】
【請求項１】
実質的に直方体形状のネオジム磁石のみから構成され、３辺をａ、ｂ、ｃ、ならびにそれぞれの辺の寸法をＬａ、Ｌｂ、Ｌｃとしたときに、
Ｌａ≧３Ｌｃ、Ｌｂ≧３Ｌｃであり、
面積が最も広い長方形のａｂ面を磁気吸着面として、
磁石の着磁方向が辺ａに平行な方向であり、
Ｌａは６ｍｍ以上であり、
さらに０．５≦Ｌａ／Ｌｂ≦２
を満足することを特徴とするマグネットホルダー。
【請求項２】
Ｌａ／Ｌｂの値が０．５≦Ｌａ／Ｌｂ≦０．９  あるいは、１．１≦Ｌａ／Ｌｂ≦２．０を満足することを特徴とする請求項１に記載のマグネットホルダー。
【請求項３】
Ｌｃが１ｍｍ以上かつ４ｍｍ以下であることを特徴とする請求項１または請求項２に記載のマグネットホルダー。
【請求項４】
Ｌａが２０ｍｍ以下であることを特徴とする請求項１〜請求項３のいずれか１項に記載のマグネットホルダー。
【請求項５】
ネオジム磁石の少なくとも片側のａｂ面に着磁方向を示す表示をしたことを特徴とする請求項１〜請求項４のいずれか１項に記載のマグネットホルダー。
【請求項６】
上記各項に記載のマグネットホルダー用のネオジム磁石と、同じ寸法Ｌａ、ＬｂおよびＬｃのネオジム磁石を、プラスチック等の非磁性の材料で構成したグリップ部本体に、ネオジム磁石の片側のａｂ面が露出するように固定したことを特徴とするマグネットホルダーのリムーバー。
【請求項７】
リムーバーに固定するネオジム磁石の寸法ＬａとＬｂが、マグネットホルダー用のネオジム磁石の寸法ＬａとＬｂと同じで、前者の寸法Ｌｃが後者の寸法Ｌｃに比べて１〜２倍であることを特徴とする請求項６に記載のマグネットホルダーのリムーバー。
【請求項８】
リムーバーに固定するネオジム磁石の寸法Ｌａ、あるいはＬｂの少なくとも一方が、マグネットホルダー用のネオジム磁石のＬａあるいはＬｂより、１〜１．５倍であることを特徴とする請求項７に記載のマグネットホルダーのリムーバー。
【請求項９】
リムーバーのグリップ部本体にネオジム磁石の着磁方向、すなわち辺ａに平行な方向が分かるように表示したことを特徴とする請求項６〜請求項８のいずれか１項に記載のマグネットホルダーのリムーバー。
【発明の詳細な説明】
【技術分野】
【０００１】  本発明は、ホワイトボードや掲示板、あるいはスチール製の冷蔵庫の扉等の家電機器の表面に、紙片やメモを固定保持するためのネオジム焼結磁石を用いたマグネットホルダーと該マグネットホルダーを磁気吸着させた対象物から取り外すためのリムーバーに関するものである。
【背景技術】
【０００２】  マグネットタイプのホワイトボードやスチールキャビネット等のスチール製の事務機器あるいは冷蔵庫等の家電機器の扉や側面等、スチール製の機器（以下、被掲示体と呼ぶ）にメモやポスター等の用紙（以下、掲示物と呼ぶ）を固定する目的で、磁気吸着力を利用したマグネットホルダーが広く用いられている。このようなマグネットホルダーに用いられている磁石の多くは古くはフェライト磁石であった。フェライト磁石は安価である反面、磁力が弱く、被掲示体に固定保持できる掲示物の大きさや枚数が限定され、一方、保持力を大きくしようとすると、大きな磁石が必要となり、覆い隠す面積が増えてしまうといった問題点が存在した。【０００３】  このような問題を解決する方法として、磁気エネルギー積の大きなネオジム焼結磁石を用いたマグネットホルダーが種々開発され使用されている。
ネオジム磁石はフェライト系磁石に比べて磁気吸着力が極めて強く、十分な磁気吸着力を得るのに必要な磁石は、本来小型化が可能である。但し、磁石のみで構成した場合、小さ過ぎて取り外しが難しくなる。
吸着面積を小さくして厚さの大きな磁石すなわち長軸方向に着磁した棒状の磁石を用いればそのような問題は解決できるが、磁石体積が増加する割に磁気吸着力は大きくならず、コストパフォーマンスが低下し現実的な解決方法とはなり得なかった。
そのため、実際に製造販売されているネオジム磁石を用いたマグネットホルダーのほとんど全てが、取り外しが容易となるようにプラスチック等の本体部に組み込まれている。それらの一例を図７に示す（例えば、特許文献１参照）。【０００４】  本来、単に磁石のみでマグネットホルダーを構成すれば、小型化でき、掲示物を覆い隠す面積が小さくなり、ほとんど目立たなくすることも可能である。プラスチック本体に組み込む場合このような小型化のメリットが失われる。さらに、プラスチックの製作コストや磁石を組み込むためのコストがかかり経済的でなくなる。さらに、使用済後の廃棄の際には分離する手間がかかる。貴重な資源のレアアースのリサイクルにも余計な費用がかかり問題となる。【０００５】  このような問題点を解決する方法として、ネオジム磁石等の希土類磁石のみで構成されたマグネットホルダーとそれを取り外すための専用のリムーバーを組み合わせた利用方法も提案されている（例えば、特許文献２参照）。
特許文献２に開示された方法では、マグネットホルターは希土類磁石のみで構成し、ディスク形状あるいはリング形状の面に垂直方向に磁場配向させ、かつ面方向に片側半分ずつ着磁方向を変えた希土類磁石を用いている。あるいは直径方向に磁場配向着磁した希土類磁石を用いている。
そして、リムーバーとして、マグネットホルダーを構成する希土類磁石と同等以上の磁気吸着力でかつ同じ磁場配向着磁形式の希土類磁石を、グリップ部の先端に回転自在に取り付けている。そのように構成することで、リムーバーをマグネットホルダーに近づけると、リムーバー先端の磁石は、適宜位置を回転調整し、マグネットホルダーと磁気吸着しあうため、簡単に被掲示体からマグネットホルダーを外すことができる。【０００６】  また、マグネットホルダーは希土類磁石のみで構成し、かつ少なくともそのＮ極とＳ極の特定した磁極面の一方に着色処理を施し、磁極を区別できるようにしたマグネットホルダーも開示されている（例えば特許文献３参照）。そして、同じマグネットホルダーを複数重ねたマグネットホルダーをリムーバーとすることにより、あるいは、マグネットホルダーに合わせて本体の両端に磁極を区別できるようにした磁石を取り付けたリムーバーを用いることにより、マグネットホルダーの取り外しを簡単に行えるようにしている。
マグネットホルダーとしては、極めてシンプルで、リムーバーも単に柱状の本体の両側に、極性を変えた磁石を貼りつけただけの構造で比較的シンプルといった利点はある。
【先行技術文献】
【特許文献】
【０００７】
【特許文献１】特開２００１−１２１８６４号公報
【特許文献２】特開２００５−２８９０２０号公報
【特許文献３】実用新案登録第３１０２９２０号公報
【発明の概要】
【発明が解決しようとする課題】
【０００８】  特許文献２に開示された方法では、リムーバーをマグネットホルダーに近づける際に、磁極の向きを気にする必要がない。
ただし、リムーバー先端に取り付ける磁石は回転時自在に取り付ける必要があり、構造が複雑となり、その製作コストも高くなるといった問題点が存在する。
また、厚さ方向に磁場配向させた磁石を、片側半分ずつ、極性を変えて着磁するためには、専用の着磁コイルが必要となり、また同時に着磁できる磁石の数が極端に少なくなり、製作コストは高くなる。【０００９】  また、特許文献３に開示された方法では、リムーバーをマグネットホルダーに近づけたときに、互いに強い磁気吸着作用が働く。２つの磁石間に働く磁気吸着力は距離が近づくほど強まるため、互いに衝突するようにして吸着する。破損しないようにするためには十分注意する必要がある。また、両者が磁気吸着した状態では、被掲示体への吸着力は増すため、取り外しにくく使い勝手が悪いといった問題点があった。
【課題を解決するための手段】
【００１０】  そのような問題点を解決するため、本発明では以下の手段を採用した。
請求項１に記載のマグネットホルダーは、マグネットタイプのホワイトボードや掲示板、あるいはスチール製の冷蔵庫の扉等、家電機器の表面に、紙片やメモを固定保持するためのマグネットホルダーであって、
実質的に直方体形状のネオジム磁石のみから構成され、３辺をａ、ｂ、ｃ、ならびにそれぞれの辺の寸法をＬａ、Ｌｂ、Ｌｃとして、
Ｌａ≧３Ｌｃ、Ｌｂ≧３Ｌｃ、
であり、面積が最も広い長方形のａｂ面を磁気吸着面として、
磁石の着磁方向が辺ａに平行な方向であり、
Ｌａは６ｍｍ以上であり、さらに、
０．５≦Ｌａ／Ｌｂ≦２、
を満足するマグネットホルダーとした。【００１１】  本発明のマグネットホルダーでは、製作が容易で量産に適した直方体形状のネオジム磁石を用いている。そして、直方体形状のネオジム磁石の磁極面となるｂｃ面とは異なる、その面に直交するａｂ面を主な磁気吸着面としている。
直方体形状のネオジム磁石の磁気吸着力を高めるためには、本来、面積が広いａｂ面を吸着面とする場合、それに垂直な方向、すなわち厚さに相当する辺ｃに平行な方向に磁場配向着磁した方が有利となる。本発明では、後述するリムーバーを用いて取り外しを容易にすることを目的として、それとは異なる辺ａに平行な方向を磁場配向着磁方向としてある。そして、各辺の長さを、
Ｌａ≧３Ｌｃ、Ｌｂ≧３Ｌｃ、
Ｌａは６ｍｍ以上であり、さらに、
０．５≦Ｌａ／Ｌｂ≦２、
としている。【００１２】  そのように構成することにより、ａｂ面を吸着面として、被掲示体に掲示物を介してあるいは介さずに直接磁気吸着させた状態において（以後、そのような状態を横置状態と呼ぶ）、後述するリムーバーとの組み合わせで、取り外しが容易となるからである。
さらに、未使用時に磁極面のｂｃ面を磁気吸着面として、辺ａに平行な方向が被掲示体面に垂直になるように置いた場合（以後、そのような状態を“縦置状態”と呼ぶ）、つかみ易く取扱い易くなるからである。
なお、本発明でａｂ面とは直方体形状の辺ａと辺ｂで構成される長方形の面を意味し、ｂｃ面等も同様である。【００１３】  請求項２に記載のマグネットホルダーでは、
前記Ｌａ／Ｌｂの値を、
０．５≦Ｌａ／Ｌｂ≦０．９  あるいは、１．１≦Ｌａ／Ｌｂ≦２．０
を満足するマグネットホルダーとすることが好ましい。【００１４】  前述のマグネットホルダーの中で、０．９＜Ｌａ／Ｌｂ＜１．１の範囲を外して、
０．５≦Ｌａ／Ｌｂ≦０．９とするか、あるいは１．１≦Ｌａ／Ｌｂ≦２．０
と限定したマグネットホルダーである。
横置状態で、ＬａとＬｂの寸法差を一見しただけで識別し易く、着磁方向を見分けることができるようになる。それにより、後述するリムーバーによる取り外し作業を容易にしたマグネットホルダーである。【００１５】  請求項３に記載のマグネットホルダーでは、
このような前記のマグネットホルダーの中でＬｃが１ｍｍ以上かつ４ｍｍ以下とすることが好ましい。
厚さに相当するＬｃが１ｍｍ未満では、マグネットホルダーとしての磁気吸着力が弱くなる。同時に、磁石の製作時の切削歩留まりも低くなり、製作費は割高となる。そのためマグネットホルダーとしてのコストパフォーマンスが低下する。またＬｃが１ｍｍ未満では割れやすくなる。そのため、Ｌｃは１ｍｍ以上としてある。一方、Ｌｃが４ｍｍを越えると、磁気吸着力が必要以上に強くなり、取扱いが難しくなるため４ｍｍ以下のマグネットホルダーとすることが好ましい。【００１６】  請求項４に記載のマグネットホルダーでは、
さらにこのようなマグネットホルダーの中で、Ｌａが２０ｍｍ以下とするマグネットホルダーが好ましい。
Ｌａが２０ｍｍを越えると、磁気吸着力が強すぎ、取扱いが難しくなるため２０ｍｍ以下としたマグネットホルダーが好ましい。【００１７】  請求項５に記載のマグネットホルダーでは、
このようなマグネットホルダーの中で、少なくとも片側のａｂ面に着磁方向を示す表示をしたことを特徴とするマグネットホルダーである。
特に、Ｌａ／Ｌｂが１に近づくと、着磁方向に平行な辺ａとそれに直交する辺ｂの区別がつきにくくなるため、両者を簡単に識別できるようにａｂ面に表示したマグネットホルダーである。【００１８】  請求項６に記載のリムーバーは、被掲示体に掲示物を介してあるいは介さずに横置状態で磁気吸着させた前述のマグネットホルダーを、取り外すためのリムーバーであって、マグネットホルダー用のネオジム磁石と、同じ寸法Ｌａ、ＬｂおよびＬｃのネオジム磁石を、プラスチック等の非磁性の材料で構成したグリップ部本体に、ネオジム磁石の片側のａｂ面が露出するように固定したことを特徴とするマグネットホルダーのリムーバーである。【００１９】  リムーバーをこのように構成することで、リムーバーをそれに固定したネオジム磁石とマグネットホルダーの両方のａｂ面の中心がほぼ一致するように、かつ両方の磁石の着磁方向が互いに垂直となるように近づけると、マグネットホルダーがａｂ面内で回転して、リムーバーのネオジム磁石に磁気吸着させることができる。同時に、被掲示体への吸着力が弱まり、マグネットホルダーをリムーバーに磁気吸着させた状態で、被掲示体から簡単に取り外せる。
マグネットホルダーはリムーバーからスライドさせることにより、リムーバーから容易に取り外すことが可能となる。
特に、マグネットホルダー用のネオジム磁石とリムーバー用のネオジム磁石を同じ寸法に統一することで、量産し易くし、製作コストを低減することができる。【００２０】  請求項７に記載のマグネットホルダーのリムーバーでは、リムーバーに固定するネオジム磁石の寸法ＬａとＬｂが、マグネットホルダー用のネオジム磁石の寸法ＬａとＬｂと同じで、前者の寸法Ｌｃを後者の寸法Ｌｃに比べて１〜２倍とすることができる。
このようにリムーバーを構成することで、リムーバーをマグネットホルダーに着磁方向を垂直となるように保って近づけた時の、マグネットホルダーのａｂ面内の回転力を増して、互いに磁気吸着し易くすることができる。このように取り外し易さを改善したリムーバーである。【００２１】  請求項８に記載のマグネットホルダーのリムーバーでは、さらにリムーバーに固定するネオジム磁石の寸法ＬａあるいはＬｂの少なくとも一方が、マグネットホルダー用のネオジム磁石のＬａあるいはＬｂより１倍〜１．５倍とすることができる。
このようにリムーバーを構成することで、リムーバーに固定するネオジム磁石のａｂ面すなわち磁気吸着面を広くすることができる。それにより、マグネットホルダーに着磁方向が互いに垂直となるように近づけるときの、寸法的な余裕が生まれ、近づけやすくなる。さらに、同時に回転力を高めてマグネットホルダーの取り外し易さを改善することができる。【００２２】  請求項９に記載のリムーバーでは、
前述のリムーバーの中でグリップ部本体に磁石の着磁方向、すなわち辺ａに平行な方向が分かるように表示したマグネットホルダーのリムーバーである。
リムーバーのグリップ本体部材として透明性の低いプラスチックを用いたり、あるいは表面にシールを貼ったりした場合でも、裏側に固定してある磁石の辺ａに平行な方向すなわち着磁方向を知ることができる。それにより、リムーバーに取り付けた磁石とマグネットホルダーの着磁方向が垂直となるように近づけることができ、取り外しが容易となる。
【発明の効果】
【００２３】  本発明によれば、強力な磁気吸着力を有し、かつ小型で薄型のマグネットホルダーとすることができ、掲示物を覆い隠す面積を少なくすることができる。かつ、リムーバーを使用することにより取り外しが極めて容易となる。マグネットホルダー、リムーバーともに構造が簡単で製作コストを大幅に低減可能である。
【図面の簡単な説明】
【００２４】
【図１】  本発明のマグネットホルダーの一例を示す図であって、鉛直状態で置かれた被掲示体に磁気吸着させた状態を示す斜視図で、（１）はＬａ＞Ｌｂの例、（２）はＬａ＜Ｌｂの例を示す図である。
【図２】  ３辺の寸法が異なる直方体形状の磁石を磁気吸着させた状態の斜視図であって、それぞれ着磁方向が（１）は辺ｄに平行な例、（２）は辺ｃに平行な例、（３）は辺ｆに平行な例を示す図である。
【図３】  マグネットホルダーとリムーバーの組み合わせの例を示す図で、（１）と（２）はＬａ＝２Ｌｂの例、（３）と（４）は２Ｌａ＝Ｌｂの例である。
【図４】  磁石の周囲の磁束分布を示す図で、（１）は被掲示体にマグネットホルダーを磁気吸着させた状態、（２）はその上にリムーバーを合わせた状態を示す図である。
【図５】  リムーバーの例を示す図で、（１）はＬａ＞Ｌｂの例、（２）はＬａ＜Ｌｂの例、（３）はＬａ＝Ｌｂの例を示す図である。
【図６】  別のリムーバーの例を第三角法で示す図で、（１）平面図、（２）正面図、（３）側面図である。
【図７】  従来のマグネットホルダーの例を示す図で、（１）は板状のプラスチック本体に２個のディスク形状のネオジム磁石を組み込んだ例、（２）はプラスチック製のグリップ部にネオジム磁石を組み込んだ例を示す図である。
【発明を実施するための形態】
【００２５】  ネオジム焼結磁石は、個々の微粉砕粒子が単結晶となる数μｍの平均粒径の粉末を磁場中で成型して、その後真空あるいは減圧Ａｒガス雰囲気中で加熱して得た焼結体に熱処理を施しで製作される。
本発明のマグネットホルダーとして用いている小型の直方体形状のネオジム磁石は、磁気特性を向上するのに適した横磁場成型法を用いて製造した大きなブロック状の焼結体を素材として、その後、切削等の機械加工により製作される。そのため、円柱ディスク状の磁石等より、量産性に優れ、重量当たりの価格が安い、特性に優れた磁石の入手が可能である。
【００２６】  本発明のマグネットホルターに用いるネオジム磁石はそのような直方体形状の磁石を用いて、実質的に磁石本体のみで構成されるマグネットホルダーである。
以下、図面を使用して本発明を詳細に説明する。
図１に本発明のマグネットホルダーを鉛直状態で置かれた被掲示体に直接吸着させた状態を斜視図で示す。図１で符号１０および１１はネオジム磁石製のマグネットホルダーであって、矢印は磁石の着磁方向を示している。磁石はいずれも直方体で、直方体の辺をａ、ｂ、ｃ、それぞれの辺の長さをＬａ、Ｌｂ、Ｌｃとして、Ｌａ≧３Ｌｃ、Ｌｂ≧３Ｌｃであり、着磁方向は辺ａに平行な方向としてある。図１（１）に示すマグネットホルダー１０は、Ｌａ＞Ｌｂの例、図１（２）に示すマグネットホルダー１１は反対にＬａ＜Ｌｂの例を示す。
なお、本発明のマグネットホルダーにおいては、用紙等の掲示物を保持する場合は、マグネットホルダーのａｂ面を掲示物を介して被掲示体に吸着させて使用する。
【００２７】  図１のマグネットホルダーにおいては、いずれもＬａ≧３Ｌｃ、Ｌｂ≧３Ｌｃであり、面積が最も広い長方形のａｂ面を磁気吸着面として、磁石の着磁方向が辺ａに平行な方向であり、Ｌａは６ｍｍ以上であり、さらに、０．５≦Ｌａ／Ｌｂ≦２を満足するように構成する。
【００２８】  次に、同じ寸法の直方体形状のネオジム磁石について、着磁方向と被掲示体への吸着力との関係について説明する。図２に、着磁方向を変えた３種類の同じ寸法のネオジム磁石を、鉛直状態で置かれた磁気吸着体に吸着させた状態を斜視図で示す。
ネオジム磁石の３辺をｄ、ｅ、ｆとして、それぞれの辺の長さはＬｄ＞Ｌｅ＞Ｌｆであり、いずれも、面積が最も大きな、ｄｅ面を磁気吸着させてある。
図２（１）に示す辺ｄに平行に着磁した磁石あるいは図２（２）に示す辺ｅに平行な方向に着磁した磁石を用いたマグネットホルダーは、図２（３）に示す、最も寸法が小さな厚さに相当する辺ｆに平行な方向を着磁方向として製作した磁石のマグネットホルダーより磁気吸着力は弱くなる。すなわち、もっとも広いｄｅ面を磁極面とした方が磁気吸着力は強くなる。
【００２９】  そのため、本来は最も大きな吸着力となる図２（３）の着磁状態で用いるのが常識であり、従来のマグネットホルダーは全てそのような観点から製作されていた。
しかしながら、本発明では、実質的に強力なネオジム磁石のみで構成され、小型で強力なマグネットホルダーを実現し、さらに、取外し易さに重点を置いて、（１）あるいは（２）の着磁状態の磁石と用いている。すなわち、（１）の例では辺ｄ、辺ｅ、辺ｆが、そして（２）の例では辺ｅ、辺ｄ、辺ｆが、それぞれ辺ａ、辺ｂ、辺ｃに相当する磁石を用いて、磁気吸着面をａｂ面としたマグネットホルダーである。
【００３０】  本発明で用いている、図１（１）あるいは図１（２）の着磁状態の磁石を用いたマグネットホルダーの場合、それぞれ、同じ寸法、同じ着磁方向の磁石をグリップ部本体に片側のａｂ面を露出した状態で固定して作製したリムーバーを用いて、互いに着磁方向がほぼ垂直となる方向を保って、両方のａｂ面を近づけると、マグネットホルダーは回転して、互いのＮＳ極が吸着し合う。そのような様子を、ａｂ面に垂直な方向から見た平面図で模式的に図３に示す。
【００３１】  図３の（１）、（２）は、図１の（１）の、また図３の（３）、（４）は図１の（２）の着磁状態の磁石を用いたマグネットホルダー１３，１４とリムーバーの組合せ例を示してある。ただし、分かり易いように、図３にはリムーバーのグリップ部本体は描いていない。そして、（１）、（２）はマグネットホルダー１３がＬａ＝２Ｌｂの場合、（３）、（４）はマグネットホルダー１４が２Ｌａ＝Ｌｂの例で示してある。それぞれの場合について、図の下側のマグネットホルダー１３、１４の回転方向を点線の矢印で示してある。
【００３２】  （１）の例では、マグネットホルダー１３にリムーバーに取り付けたネオジム磁石２３の着磁方向が互いに垂直になるように近づけると、互いのＮ極とＳ極が引き合い、Ｎ極同志、Ｓ極同志は反発し合う。そのため、マグネットホルダー１３は時計の針の方向に９０°回転し、重なりあって安定する。
一方、（２）のように、被掲示体に吸着しているマグネットホルダー１３のＮ極とＳ極が（１）とは反対方向の場合、異なる磁極同志の吸引力、同極同士の反発力により、マグネットホルダー１３は（１）とは反対に時計の針とは反対方向に回転し、重なり合う。このように、マグネットホルダーが被掲示体に吸着しているときに、どちらがＮ極かＳ極かには関係なく、互いの着磁方向が垂直となるように近づけさえすれば、マグネットホルダーを回転させて互いに磁気吸着させ重ね合わせることができる。
【００３３】  （３）、（４）のマグネットホルダー１４が２Ｌａ＝Ｌｂの場合も同様に、それぞれの場合について、時計の針の回転方向あるいはその反対方向に回転させ、リムーバーに固定したネオジム磁石２４と磁気吸着させ、重ねることができる。
リムーバーの磁石にマグネットホルダーを磁気吸着させた状態では、被掲示体への吸着力は弱まり、被掲示体から簡単に引き離すことができる。引き離し後は、マグネットホルダーを面方向に滑らすことにより、簡単にリムーバーから外すことができる。
【００３４】  図４には、（１）に被掲示体５０にマグネットホルダーを吸着させた状態の磁石１５の周囲の磁束分布を、着磁方向に平行で磁石の中央を通る断面図で、模式的に示す。（２）にはマグネットホルダーに固定してある磁石と同じ形状、寸法、着磁方向の磁石２５をグリップ本体部に固定したリムーバーを用いて重ね合わせた状態の磁束分布を、（１）と同様にして示す。ただし、リムーバーのグリップ部は描いていない。
後者の（２）の状態では、図に示すように、ＮＳの方向が互いに反対方向に吸着し合った２個の磁石１５と２５が互いに磁束分布の閉回路を形成するようになり、（１）に比べて被掲示体を通る磁束が減って、磁気吸着力が弱まると考えることができる。
【００３５】  前述のように、同じ寸法の直方体形状の磁石で着磁方向を変えた場合、図２の（３）の最も寸法の小さな辺ｆに平行な方向に着磁した磁石すなわち最も広いｄｅ面を磁極面とした場合、磁気吸着力が最も強くなる。
しかしながら、そのような磁石をマグネットホルダーとして採用しｄｅ面を吸着面として被掲示体に吸着させた場合、掴みにくく、取り外しは不可能となる。
その場合も、同じ形状寸法着磁方向の磁石をグリップ部本体に固定したリムーバーを用いれば、吸着させて、取り外すことはできないことはない。しかしながら、そのような構造のリムーバーをマグネットホルダーに近づけると互いに強力な磁気吸着力が働き、衝突しあうようになる。さらに、被掲示体への吸着力が強まり、外しにくくなる。このように、極めて使い勝手は悪くなる。
【００３６】  本発明のマグネットホルダーの場合、リムーバーをマグネットホルダーに近づける際には、互いのＮ極とＳ極の位置は一致していないため、ａｂ面同志の磁気吸着力は弱い。そのため、互いに衝突するようなことはなく、かなりソフトに吸着させることが可能となる。近づいてから、互いのＮ極とＳ極が引き合って、マグネットホルダーの被掲示体への保持力による摩擦力に上回って回転し、安定する。
【００３７】  次に、本発明で各部寸法を数値限定する理由を説明する。
最初に、本発明のマグネットホルダーではネオジム磁石の３辺をａ、ｂ、ｃ、ならびにそれぞれの辺の寸法をＬａ、Ｌｂ、Ｌｃとしたときに、Ｌａ≧３Ｌｃ、Ｌｂ≧３Ｌｃ、であり、Ｌａは６ｍｍ以上であり、さらに、０．５≦Ｌａ／Ｌｂ≦２とした理由について説明する。
【００３８】  まず、Ｌａ≧３Ｌｃ、Ｌｂ≧３Ｌｃ、として、Ｌｃに対し、Ｌａ、Ｌｂを長目にしてａｂ面を広くした理由について説明する。
被掲示体に掲示物を介してあるいは介さずに横置状態で磁気吸着させたマグネットホルダーにリムーバーの磁石と着磁方向が垂直となるように近づける際に、マグネットホルダーを回転させ、互いに磁気吸着させるためには、中心はほぼ一致させる必要がある。そして、Ｌｃに対してＬａ、Ｌｂが小さくなると、長方形のａｂ面の面積が小さくなり、中心を合わせにくくなる。
また、Ｌａ＜３Ｌｃ、Ｌｂ＜３Ｌｃでは、マグネットホルダーの被掲示体への磁気吸着力に比べて、リムーバーを近づけた際の回転力が弱くなり、使い勝手が悪くなる。そのため、Ｌａ≧３Ｌｃ、Ｌｂ≧３Ｌｃとする。
そして、Ｌａ≧３Ｌｃ、かつＬａを６ｍｍ以上とすることにより、縦置状態でつかみ易く、リムーバーを用いなくても取り外しは可能となり使い勝手が向上する。
【００３９】  さらに、０．５≦Ｌａ／Ｌｂ≦２とする理由は、Ｌａ／Ｌｂが０．５〜２の範囲から外れると、互いの磁石のａに平行方向すなわち着磁方向が垂直となるように近づけた際に、Ｎ極とＳ極の距離が長くなる。そのため、マグネットホルダーの被掲示体への吸着力に打ち勝って、マグネットホルダーを回転させる力が弱くなる。そのため、Ｌａ／Ｌｂは０．５〜２の範囲に限定する。
さらに望ましくはＬａ／Ｌｂは０．６〜１．８の範囲に限定することにより、回転し易くして、マグネットホルダーとリムーバーの磁石同志を磁気吸着させて、取外すことが容易となる。
【００４０】  本発明のマグネットホルダーは、用紙やメモを被掲示体に固定して取り外すまでの時間が短い場合、マグネットホルダーは横置状態でなく縦置状態、すなわち磁気吸着面をａｂ面とするのでなく、磁極面のｂｃ面を吸着面として利用することも可能である。横置状態に比べて磁気吸着力は若干劣るがそれでも十分な保持力はある。
【００４１】  なお、マグネットホルダーとリムーバーの磁石の互いの磁石の辺ａに平行な方向が垂直となるように近づけるのでなく、互いのＮ極とＳ極同志が向かいあうようにして、近づければ、Ｌａ／Ｌｂが０．５〜２の範囲から外れても、吸着させることは可能となる。
ただし、そのためには、マグネットホルダーとリムーバーの着磁方向すなわちどちらがＮ極かＳ極かまで把握して、互いに反対となるようにして重ね合わせる必要が生じる。向きが異なる場合、リムーバーを持ち替えて、１８０度回転させる必要が生じる。
その場合の、互いの磁気吸着力は強く、しかも近づくほど強くなる。そのため、使い勝手は悪い。
【００４２】  それに対し、本発明のマグネットホルダーのように、Ｌａ／Ｌｂが０．５〜２の範囲内とすると、単に着磁方向が互いに垂直となるように近づければ良い。リムーバーをマグネットホルダーに近づける際の角度の調整は、最大でも９０度の範囲内となり、手の甲の向きを調整するだけで済ませることができる。しかも、磁気吸着し合う力は、それほど強くない。そのため使い勝手は極めて良好となる。
【００４３】  Ｌｃが同じで、長方形ａｂ面の面積が同じ場合、すなわちＬａ×Ｌｂが同じで磁石の体積が同じ場合、ＬａとＬｂの長短の違いについては、着磁方向のａの寸法ＬａがＬｂより短い方が、縦置状態では、磁気吸着力が若干大き目となる。ただし、反対にＬａがＬｂより長い方が、縦置状態では磁気吸着力が若干弱くつかみ易くなるため、縦置状態での取外し易さは良好となる。このように一長一短があるため、両方の選択肢が残される。
【００４４】  本発明のマグネットホルダーは特に０．５≦Ｌａ／Ｌｂ≦０．９  あるいは、１．１≦Ｌａ／Ｌｂ≦２．０とすることができる。
そのようにＬａ／Ｌｂの寸法比を規定することで、横置状態で、長方形ａｂ面の長辺と短辺の差の見分けが容易となる。そのため、マグネットホルダーには着磁方向を表示しなくても、リムーバーに固定した磁石に互いに垂直に近づけることが可能となり、それにより、マグネットホルダーを回転させ、リムーバーに磁気吸着させて取外すことが可能となるからである。
その際、着磁方向については気にする必要がない。すなわち、マグネットホルダーのａｂ面の長方形がリムーバーに取り付けたネオジム磁石のａｂ面の長方形と互いに垂直を保つように近づけさえすれば着磁方向も互いに垂直となるからである。
さらに、望ましくは、０．６≦Ｌａ／Ｌｂ≦０．８５  あるいは、１．１５≦Ｌａ／Ｌｂ≦１．８とすることにより、長辺と短辺の見分けがさらに容易となり、かつリムーバーを用いた時に、マグネットホルダーを回転し易くして、使い勝手を一層向上させることができる。
【００４５】  本発明のマグネットホルダーはさらに、少なくとも片側のａｂ面に着磁方向を示す表示をすることができる。特に、Ｌａ／Ｌｂが１に近づくと、着磁方向に平行な辺ａとそれに直交する辺ｂとの区別がつきにくくなるため、表示することにより両者を簡単に識別できるようになり、使い勝手が向上する。磁石の表面に直接描いても良い。あるいは、着磁方向が識別できる表示をしたシールを貼ることもできる。
両側のａｂ面に表示するのがさらに望ましい。
【００４６】  次に、本発明のマグネットホルダーに用いる直方体形状の磁石の寸法の中で厚さに相当する最も小さな辺ｃの寸法Ｌｃと、着磁方向の辺ａの寸法Ｌａをそれぞれ１ｍｍ≦Ｌｃ≦４ｍｍとする理由、Ｌａ≦２０ｍｍとする理由について説明する。
既に述べたように、直方体形状のネオジム焼結磁石は、大き目の焼結体ブロックから切削加工して切り分けて製作される。切削には、マルチワイヤーソーや内周刃を用いた切断機が用いられ、その際の切り代は０．２ｍｍ〜０．５ｍｍ程度である。そのため、特に厚さが１ｍｍ以下となると、切削時の歩留まりが低下し、さらに、割れや、チッピング不良の発生による、不良品の発生比率も増える傾向となる。そのため、体積当たり（重さ当たり）の価格はかなり高くなる。
また、マグネットホルダーとして用いた場合も、１ｍｍ以下となると磁気吸着力が弱くなり、コストパフォーマンスが低下する。さらに、縦置状態で用いたり、保管したりしようとする場合にも倒れやすくなり、使い勝手が悪くなる。そのため、Ｌｃは１ｍｍ以上とする。
一方、Ｌｃが４ｍｍを越えると、強くなりすぎ、不用意に扱うと、指を挟んだりして、使い勝手が悪くなるため、４ｍｍ以下とした。また同じ理由から、Ｌａは２０ｍｍ以下とする。
ポスター等の厚めで広目の用紙等の掲示物を被掲示体に固定する場合、複数個のマグネットホルダーを用いれば問題なく、固定保持可能となり、その方が使い勝手が良い。
【００４７】  次に本発明のマグネットホルダーを、掲示物を介してあるいは介さずに直接被掲示体に横置状態で磁気吸着させた状態から、取外すためのリムーバーについて説明する。
本発明のリムーバーは、マグネットホルダーの磁石と寸法Ｌａ、Ｌｂ、Ｌａが同じ磁石を、プラスチック等の非磁性材料よりなるグリップ部本体にａｂ面を露出面として、固定することにより、製作することができる。
マグネットホルダー用のネオジム磁石とリムーバー用のネオジム磁石を同じ寸法に統一することで、量産し易くし、製作コストを低減することができる。
【００４８】  そして、リムーバーをこのように構成することで、リムーバーに固定したネオジム磁石とマグネットホルダーの両方のａｂ面の中心がほぼ一致するように、かつ互いにほぼ垂直となるように近づけると、すなわち両方の磁石の着磁方向が互いに垂直となるように近づけると、マグネットホルダーがａｂ面内で回転して、リムーバーのネオジム磁石に磁気吸着させることができる。同時に、被掲示体への吸着力が弱まり、マグネットホルダーをリムーバーに磁気吸着させた状態で、被掲示体から簡単に取り外せる。
マグネットホルダーはリムーバーからスライドさせることにより、リムーバーから容易に取り外すことが可能となる。
【００４９】  本発明の他のリムーバーは用いるネオジム磁石の寸法Ｌａ、Ｌｂ、Ｌｃのうち、寸法Ｌｃを１倍〜２倍の範囲で長くすることができる。
直方体形状の磁石の厚さに相当するＬｃを長目にすることで、対象とするマグネットホルダーに着磁方向が垂直となるように近づけたときに、マグネットホルダーのａｂ面内の回転力を強めることができ、回転させやすくなり、取り外しを容易にすることができ望ましい。
【００５０】  本発明の他のリムーバーは固定するネオジム磁石の寸法Ｌｃを長目にするのに加えて、寸法Ｌａ、あるいはＬｂの少なくとも一方を、マグネットホルダー用のネオジム磁石のＬａあるいはＬｂより、１倍〜１．５倍とすることができる。リムーバーに固定するネオジム磁石の露出面かつ吸着面となる長方形ａｂ面の面積が広くなり、マグネットホルダーに磁気吸着させるときに合わせやすくなる。
Ｌａ、Ｌｂともに１．５倍以上にすると、マグネットホルダーとの寸法差が大きくなりすぎ、互いに磁気吸着させた際に、中心がずれ、片寄る傾向が増し、使い勝手は悪くなる。
【００５１】  さらに、本発明の他のリムーバーでは、前述のリムーバーの中でグリップ部本体に磁石の着磁方向、すなわち辺ａに平行な方向が分かるように表示したマグネットホルダーのリムーバーである。
リムーバーの本体部材として透明性の低いプラスチックを用いたり、あるいは表面にシールを貼ったりした場合でも、裏側に固定してある磁石の辺ａに平行な方向すなわち着磁方向を知ることができる。それにより、リムーバーに取り付けた磁石とマグネットホルダーの着磁方向が垂直となるように近づけ易くなり、取り外しが容易となる。
表示はグリップ部本体に直接描いても良い。あるいは、着磁方向を表示したシールを貼ることもできる。あるいは、グリップ部本体の形状を工夫して、磁石のａｂ面に平行な面で９０度回転させた場合に同じ形状にならないようにすることで、すなわち９０度非回転対称形状とすることにより区別する方法も含まれる。
【００５２】  マグネットホルダーをリムーバーから外すときは、面方向にずらすことにより簡単に外すことができる。外した後は、磁極となるｂｃ面を磁気吸着面として、すなわち縦置状態で、被掲示体の隅等の空いているスペースに吸着させた状態で、保管することができる。そのような吸着状態では、マグネットホルダーはつかみ易く、取り付け、取り外しが容易である。
複数のマグネットホルダーを退避させる場合は、互いの距離を適度に空ければ良い。そのようにすることにより、再度、マグネットホルダーとして使用する際に、直ぐに再利用することが可能となる。
なお、マグネットホルダーを利用しない場合は、マグネットホルダーの互いのＮ極Ｓ極が反対方向になるようにａｂ面が重なるようにして複数個をまとめておくことも可能である。コンパクトに保管することが可能となる。その状態でも、被掲示体に吸着させた状態で保管可能であり、しまい忘れたりして探す手間がかかることはない。
【００５３】  リムーバーも磁気吸着力を備えており、被掲示体の定位置に吸着させておくことにより、必要が生じたときに直ぐに取り外して使うことが可能となる。さらにリムーバー自体もマグネットホルダーとしても、使用することもできる。１台当たりの被掲示体毎に、複数のマグネットホルダーに対して１個のリムーバーを配置することにより、使い勝手を向上させることができる。
さらに、リムーバーも複数個配置して、マグネットホルダーとしても併用することもできる。そのような使用方法により、手の届く範囲で、探して取り外し、本来の機能であるリムーバーとして利用することが可能である。
【００５４】  本発明で使用するネオジム磁石は、いずれも質量％で、ネオジム等のレアアースが約３０％強、ボロンが約１％、残りが鉄を主体とする遷移金属で構成されている。化学的に活性なレアアースを３０％以上含んでおり、残りがほとんど鉄のため、そのままでは錆びやすく、通常、ニッケルメッキ等の防食処理が施された状態で販売され利用されている。本発明のマグネットホルダーは、そのようなメッキを施した状態のままで利用することが可能である。
【００５５】  本発明のマグネットホルダーは、さらにメッキ処理をした上に、塗装したり、シールやテープを貼ったりして、一部の面や複数の面を覆っても良い。特に、白色に塗装したり、白色のシールを貼ったりすることにより、用紙の隅に配置した場合、目立たなくすることができ、美観上からも望ましくなる。さらに、用途に合わせて、種々の色の選択が可能となる。
【００５６】  なお、本発明のマグネットホルダーの他の特徴として、２個互いにＮ極とＳ極が磁気吸着させるようにａｂ面同志を重ねた時に、周囲の磁界の強さが弱まることが挙げられる。２個以上同様にして重ねるときも同様である。リムーバーについても、１個以上のマグネットホルダーを重ねれば、周囲に及ぼす磁界は弱まる。そのような特徴は、もともと小型であることに相俟って、磁気漏洩対策が必要となる梱包を簡単にし、物流コストの大幅な低減も可能となる。
【実施例】
【００５７】  以下、実施例を挙げて説明する。
（実施例１〜実施例４）
表１にＬａ、Ｌｂがともに１０ｍｍで、Ｌｃを１．０ｍｍ、１．５ｍｍ、２ｍｍ、３ｍｍとしたいずれも（ＢＨ）ｍａｘが３５ＭＧＯｅのネオジム磁石を用いて作製したマグネットホルダーを用いて、冷蔵庫の扉を被掲示体として、Ａ４用紙の保持試験を行った。なお、試験に用いたＡ４用紙の１枚当たりの重さは４．２ｇで、厚さは、０．０９ｍｍである。【００５８】  保持する用紙の枚数を１枚ずつ増やし、滑り落ち始める前の枚数を保持枚数とした。Ｌｃが１ｍｍでも、保持枚数は５枚であり、十分な保持枚数となっている。
このように、小型で薄いマグネットホルダーであっても、十分な保持能力を有している。【００５９】  表１には、ａｂ面を吸着面、すなわち横置状態に加えて、ｂｃ面を磁気吸着面、すなわち縦置状態の保持枚数も示してある。また、縦置き状態での取り外しやすさも示した。
縦置状態では、横置状態に比べてやや保持枚数は減る傾向があるがそれでも十分な保持枚数となる。しかも、縦置状態では把持し易く、いずれも取外し易さには問題がなかった。特に、実施例１〜３については、Ｌａ／Ｌｃが５以上で３より十分大きく、取り外し易さは極めて良好であった。【００６０】
【表１】
2018134851.tif 000003
【００６１】  表１には、同じ磁石を、ａｂ面を露出させてグリップ部本体に取り付けたリムーバーを用いて、磁気吸着させた状態すなわち図４の（２）に示す状態を想定し、２枚重ねた状態での用紙の保持枚数も示してある。いずれの場合も、保持枚数は大幅に減ることが分かる。リムーバーを用いて、マグネットホルダーに吸着させた状態では、被掲示体への吸着力が減り、取り外し易くなることが分かる。【００６２】  （参考例１〜参考例４）
参考例として、表１には（ＢＨ）ｍａｘが同じ３５ＭＯｅで、それぞれ実施例１〜実施例４と同じ形状、寸法で、着磁方向のみを最も短い辺すなわち厚さ方向に変えた磁石について、実施例１〜実施例４の場合と同様に、Ａ４用紙の保持試験を行った結果も示してある。
ただし、磁気吸着面はａｂ面でなく、磁極面のｂｃ面として試験した。
表１から、同じ形状寸法の磁石の比較では（すなわち実施例１と参考例１の比較、以下同様）、着磁方向を最も小さな寸法の、すなわち厚さ方向に着磁した磁石を用いた方が、保持枚数が多くなることが分かる。
ただし、２枚重ねた場合、さらに保持枚数は大幅に増加し、すなわち、磁気吸着力が増加し、実施例１と同様にして、リムーバーを作製して用いたとしても、外しにくくなることが分かる。【００６３】  （実施例５〜実施例１４）
表２に示す、種々の寸法の直方体形状のネオジム磁石を用いたマグネットホルダーを製作した。併せて、マグネットホルダー毎に、それぞれ同じ磁石をａｂ面を露出面として、プラスチック製グリップ部本体に固定することによりリムーバーを作製した。
表２には、マグネットホルダーに用いた直方体形状の磁石の代表寸法Ｌａ、Ｌｂ、Ｌｃに加えて、寸法比のＬａ／Ｌｃ、Ｌｂ／Ｌｃ、Ｌｂ／Ｌａも示した。【００６４】
【表２】
2018134851.tif 000004
【００６５】  表３に、実施例５〜実施例１４のマグネットホルダーを用いて、実施例１〜実施例４と同様に、Ａ４用紙の保持試験を行った結果を示した。
また、冷蔵庫の扉に磁気吸着させたそれぞれのマグネットホルダーに、リムーバーを磁気吸着させ重ねた状態での、Ａ４用紙の保持試験を行った結果を示した。併せて、マグネットホルダーを縦置状態としたときのＡ４用紙の保持枚数も示した。
また、マグネットホルダーとリムーバーの磁石同志の中心がほぼ一致するように、さらに互いに着磁方向が垂直を保つように接近させて、マグネットホルダーを回転させ磁気吸着させ取外すときの容易さも示した。さらに、マグネットホルダーを縦置状態としたときの取外し易さも示した。【００６６】
【表３】
2018134851.tif 000005
【００６７】  Ｌａ≧３Ｌｃ、Ｌｂ≧３Ｌｃ、Ｌａが６ｍｍ以上、さらに、０．５≦Ｌａ／Ｌｂ≦２の条件を満足している実施例５〜実施例１４のマグネットホルダーは、リムーバーを用いた時に、回転し易く、取り外しが容易で、さらに縦置状態でも取外し易く、使い勝手が極めて良好であることが分かる。
一方、これらの寸法条件を満足していない、比較例１〜比較例５のマグネットホルダーでは、リムーバーを用いた時に回転しにくくなり、あるいは回転できたとしても、縦置状態では取外しにくく、使い勝手が悪いことが知られる。【００６８】  なお、例えばＬａとＬｂが同じで、Ｌｃが薄めの実施例７のマグネットホルダーをＬｃが１．５倍と厚めの実施例８のリムーバーを用いても取り外しが可能である。また、全ての寸法すなわちＬａ、Ｌｂ、Ｌｃが同じで、磁気エネルギー積が大き目の実施例９のリムーバーを用いて、実施例７のマグネットホルダーを外すことも可能である。
いずれの場合も、互いに磁気吸着させたときの、被掲示体への吸着力が低下し、同じ厚さ、あるいは同じ磁気エネルギー積のマグネットホルダーを用いた場合より、さらに取外し易くなる。本発明には、このようなマグネットホルダーとリムーバーの組み合わせも含まれる。【００６９】  さらに、Ｌａ、Ｌｂが大き目の実施例１２のリムーバーを用いて、それよりも若干小さな、実施例９、実施例１０のマグネットホルダーを外すこともできる。
Ｌａ、Ｌｂが若干大きい方が着磁方向を垂直にして、マグネットホルダーに近づける際、寸法的に余裕が増し、使い勝手は向上する。【００７０】  （実施例１５）
実施例２のマグネットホルダーに用いたＬａ、Ｌｂがともに１０ｍｍの磁石で、Ｌｃが１．５ｍｍと２．０ｍｍの磁石を、グリップ本体用に平面寸法が１０ｍｍ角で厚さが約４ｍｍのガラスタイルを用いて、それに接着剤で固定してリムーバーを作製した。ガラスタイルの表面には、ダイヤモンドカッターを用いて、磁石の着磁方向が分かるようにそれに平行に線状に疵を付けた。マグネットホルダーのａｂ面には両側を覆うようにシールを貼って、そのシールにも着磁方向に合わせて、線を引きマグネットホルダーとした。
このようにして作製したリムーバーを用いてマグネットホルダーに両方の磁石の着磁方向が垂直になるように近づけることにより、回転させて、互いに磁気吸着させて簡単に取り外せることを確認した。
なお、このようにして作製したリムーバーも被掲示体に磁気吸着させた状態で、取り外しが容易であり、マグネットホルダーとしても利用できることを確認した。【００７１】  （実施例１６）
実施例３のマグネットホルダーに用いた磁石を用いて、実施例１５と同様にリムーバーとマグネットホルダーを作製した。そのようにして作製したリムーバーを用いて、実施例１５と同様にしてマグネットホルダーを簡単に取り外せることを確認した。さらに、実施例１５のマグネットホルダーも簡単に取外せることを確認した。【００７２】  （実施例１７）
実施例１０に用いたマグネットホルダーに用いた磁石を用いて、実施例１５、実施例１６と同様に１０ｍｍ角のガラスタイルをグリップ部本体として、リムーバーを作製した。マグネットホルダーは、Ｌａが１０ｍｍに対し、Ｌｂが８ｍｍと小さく、着磁方向を表示しなくても、目視で識別し易い。そのため、表示がなくても、互いに着磁方向が垂直になるように両者を近づけ、マグネットホルダーを回転させ、磁気吸着させて、容易に取り外すことができた。【００７３】  なお、被掲示体がスチール製でなくて例えば木製や石膏ボード等の非磁性の材料の場合でも、画鋲を用いて、その上に置いたポスターの上から、本発明のマグネットホルダーを用いて磁気吸着させて固定保持することが可能となる。
画鋲の頭の円形部分の直径は約１１ｍｍであり、厚さも例えば冷蔵庫の扉等に用いられている鉄板材よりも厚い。そのため、例えばＬａがいずれも１０ｍｍの実施例１５．実施例１６、実施例１７のマグネットホルダーを用いると、冷蔵庫の扉に用紙を固定するときよりも十分大きな保持力で固定保持できることが確認できた。【００７４】  （実施例１８）
図５に、プラスチック製で作製したグリップ本体に磁石を取り付けた別のリムーバーの例を示す。（１）のリムーバー４０はＬａ＞Ｌｂの例を、（２）のリムーバー４１は反対にＬａ＜Ｌｂの例を示し、磁石のａｂ面が長方形で長辺と短辺が簡単に識別できる例である。いずれのリムーバーでもグリップ部の長辺に沿った側面に凹みを設けてグリップし易いようにすると同時に、長辺と短辺の差を際立たせて区別し易いようにしてある。
（３）のリムーバー４２はＬａ＝Ｌｂすなわちａｂ面が正方形の場合であり、着磁方向に直交する方の側面に凹みを設けてある。
ただし、この場合は反対に、（２）と同様に、着磁方向に平行する方の側面に凹みをつけることも可能である。どちらの方法でも、９０度回転対称形状としなければ、着磁方向の区別は可能となるためである。
なお、これらのリムーバーの製作例は実施例１から実施例１４で示したマグネットホルダーのリムーバーにも適用できる。【００７５】  （実施例１９）
図６に、磁石２９がＬａ＜Ｌｂの場合の別のリムーバーの実施例を示す。リムーバー４３は磁石２９の表面を上向きの状態で置いた状態で、第三角法で（１）平面図、（２）正面図、（３）側面図を描いてある。
磁石２９を埋め込んだプラスチック本体部３３は、磁石の辺の長さＬｂが短い辺ｂに平行な方向に湾曲面になるように作製してある。このように製作することにより、リムーバーを被掲示体に吸着させた状態でも、湾曲面を利用してプラスチック本体部を傾けることにより、磁気吸着力を弱め取り外しが容易となる。
【産業上の利用可能性】
【００７６】  本発明のマグネットホルダーは、実質的に直方体形状のネオジム磁石のみで構成されているため、製作コストが安く、しかも小型で薄くすることが可能となる。そのため、紙片等の掲示物を覆う面積が少なく、目立たず、美観上も好ましい。また、本発明のマグネットホルダー用のリムーバーはマグネットホルダーと同様な形状寸法でかつ同じ着磁状態の磁石を用いることにより、単に、両方の磁石の着磁方向が垂直となるように近づけるだけで、互いに磁気吸着させて、取外すことが可能となる。使い勝手が良好で、かつ経済性の観点からも優れており、産業上の利用性が高い。
【符号の説明】
【００７７】１０、１１、１３、１４、１５・・・ネオジム磁石製マグネットホルダー
２３、２４、２５、２６、２７、２８、２９・・リムーバーに取り付けたネオジム磁石
３０、３１、３２、３３・・・グリップ部本体
４０、４１、４２、４３・・・リムーバー
５０・・・被掲示体
【図１】
2018134851.tif 000006
【図２】
2018134851.tif 000007
【図３】
2018134851.tif 000008
【図４】
2018134851.tif 000009
【図５】
2018134851.tif 000010
【図６】
2018134851.tif 000011
【図７】
2018134851.tif 000012